(57)【要約】      （修正有）【課題】宝くじを利用して商品に偽造防止機能を持たせる接着部材、接着部材アセンブリ、及び偽造防止包装装置を提供する。【解決手段】接着部材は、接着層１０と、接着層の上側に設けられた第一層２０と、を含み、第一層が接着層に固定され、且つ第一層の外面に宝くじ部２２が設けられ、宝くじ部が第一層の外面に直接形成される。接着部材アセンブリは、少なくとも二つの接着部材を備え、二つの接着部材が並列又は積層して配置される。偽造防止包装装置は、収容空間を画定する筐体を備え、筐体に引き裂き部が設けられ、引き裂き部が筐体の一部とされ、引き裂き部と筐体の他の部分との間が引き裂き部により接続され、引き裂き部の外面に宝くじ部が設けられ、宝くじ部が引き裂き部の外面に直接形成される。【選択図】図１
0003229631.tif 000002
【実用新案登録請求の範囲】
【請求項１】
接着層と、
接着層の上側に設けられた第一層と、を含む接着部材であって、
前記第一層が前記接着層に固定され、且つ前記第一層の外面に宝くじ部が設けられ、前記宝くじ部が前記第一層の外面に直接形成されることを特徴とする接着部材。
【請求項２】
接着部材の上面図において、前記宝くじ部の全部が接着層の位置と重なり、または、
接着部材の上面図において、前記宝くじ部の一部のみが接着層の位置と重なり、または、
接着部材の上面図において、前記宝くじ部が接着層の外にあることを特徴とする請求項１に記載の接着部材。
【請求項３】
接着層の底側に設けられた第二層をさらに含み、前記接着層が第一層と第二層の間に設けられ、前記第二層が接着層を露出するように前記接着層から剥離するように構成されることを特徴とする請求項１に記載の接着部材。
【請求項４】
前記接着部材は帯状又はブロック状であることを特徴とする請求項１に記載の接着部材。
【請求項５】
前記接着部材の長さは１０ｃｍより大きく、または、
前記接着部材の幅は１０ｃｍより大きいことを特徴とする請求項４に記載の接着部材。
【請求項６】
請求項１〜５のいずれかに記載の少なくとも二つの接着部材を備え、前記少なくとも二つの接着部材が並列又は積層して配置されることを特徴とする接着部材アセンブリ。
【請求項７】
前記接着部材は請求項３に記載の接着部材であり、且つ前記少なくとも二つの接着部材は共通の第二層に設けられていることを特徴とする請求項６に記載のアセンブリ。
【請求項８】
前記接着部材は請求項３に記載の接着部材であり、前記接着部材は帯状であり、且つ少なくとも二つの接着部材のうちの隣接する接着部材の間は引き裂き可能部により接続されることを特徴とする請求項６に記載のアセンブリ。
【請求項９】
前記引き裂き部は第二層に設けられ、且つ隣接する二つの接着部材の接着層及び第一層は互いに接続されなく、または互いに間隔があけられていることを特徴とする請求項８に記載のアセンブリ。
【請求項１０】
収容空間を画定する筐体を備え、前記筐体に引き裂き部が設けられ、前記引き裂き部が筐体の一部とされ、引き裂き部と筐体の他の部分との間が引き裂き可能部により接続される偽造防止包装装置であって、
前記引き裂き部の外面に宝くじ部の有効エリアの少なくとも一部が設けられ、前記宝くじ部の有効エリアの少なくとも一部は前記引き裂き部の外面に直接形成されることを特徴とする偽造防止包装装置。
【請求項１１】
前記引き裂き部は引き裂きテープであることを特徴とする請求項１０に記載の装置。
【請求項１２】
前記宝くじ部の有効エリアは前記引き裂き部の外面の一部および前記筐体の外面の一部を被覆することを特徴とする請求項１０に記載の装置。
【請求項１３】
前記宝くじ部の有効エリアは前記引き裂き部の外面のみに設けられることを特徴とする請求項１０に記載の装置。
【考案の詳細な説明】
【技術分野】
【０００１】
本実用新案の実施例は、商品包装分野に関し、特に、接着部材、接着部材アセンブリおよび偽造防止包装装置に関する。
【背景技術】
【０００２】
商品、特に高価な商品の偽造防止は益々人々に重視されている。多くの生産メーカーは、その製品にバーコード及びレーザー商標などの複数の偽造防止措置を同時に採用しているが、製品は依然として他人に偽造され続けている。ショッピング者本人がバーコード及びレーザー商標の真偽を区別しにくく、生産メーカーが採用している偽造防止手段のいくつかが技術的に偽造される可能性があるからである。
【考案の概要】
【考案が解決しようとする課題】
【０００３】
上記技術課題の少なくとも一つの側面を解決または改善するために本実用新案を提案する。
【課題を解決するための手段】
【０００４】
本実用新案の実施例の一つの側面により、
接着層と、
接着層の上側に設けられた第一層と、を含む接着部材であって、
前記第一層が前記接着層に固定され、且つ前記第一層の外面に宝くじ部が設けられ、前記宝くじ部が前記第一層の外面に直接形成される接着部材が提案されている。
【０００５】
選択可能に、接着部材の上面図において、前記宝くじ部の全部が接着層の位置と重なり、または、接着部材の上面図において、前記宝くじ部の一部のみが接着層の位置と重なり、または、接着部材の上面図において、前記宝くじ部が接着層の外にある。
【０００６】
選択可能に、当該接着部材は、接着層の底側に設けられた第二層をさらに含み、前記接着層は第一層と第二層との間に設けられ、前記第二層は接着層を露出するように前記接着層から剥離するように構成される。
【０００７】
選択可能に、前記接着部材は帯状又はブロック状である。
【０００８】
選択可能に、前記接着部材の長さは１０ｃｍより大きく、または前記接着部材の幅は１０ｃｍより大きい。
【０００９】
本実用新案はさらに、前記少なくとも二つの接着部材を備え、前記少なくとも二つの接着部材が並列又は積層して配置される接着部材アセンブリが提案されている。
【００１０】
選択可能に、前記接着部材に前記第二層が設けられ、且つ前記少なくとも二つの接着部材は共通の第二層に設けられている。
【００１１】
選択可能に、前記接着部材に前記第二層が設けられ、前記接着部材は帯状であり、且つ少なくとも二つの接着部材のうちの隣接する接着部材の間は引き裂き可能部により接続される。
【００１２】
選択可能に、前記引き裂き部は第二層に設けられ、且つ隣接する二つの接着部材の接着層及び第一層は互いに接続されなく、または互いに間隔があけられている。
【００１３】
本実用新案はさらに、
収容空間を画定する筐体を備え、前記筐体に引き裂き部が設けられ、前記引き裂き部が筐体の一部とされ、引き裂き部と筐体の他の部分との間が引き裂き可能部により接続される偽造防止包装装置であって、
前記引き裂き部の外面に宝くじ部の有効エリアの少なくとも一部が設けられ、前記宝くじ部の有効エリアの少なくとも一部は前記引き裂き部の外面に直接形成される偽造防止包装装置に関する。
【００１４】
選択可能に、前記引き裂き部は引き裂きテープである。
【００１５】
選択可能に、前記宝くじ部の有効エリアは、前記引き裂き部の外面の一部および前記筐体の外面の一部を被覆する。
【００１６】
選択可能に、前記宝くじ部の有効エリアは、前記引き裂き部の外面のみに設けられる。
【考案の効果】
【００１７】
接着部材に宝くじを設けたり、偽造防止包装装置の引き裂き部に宝くじを設けたりすることにより、簡単な方式で商品の偽造防止に役立てることができる。
【図面の簡単な説明】
【００１８】
以下の記載と図面は、本実用新案によって開示された各実施例におけるこれら及び他の特徴、長所をよりよく理解するのに役立てることができ、図中における同じ図面符号は一貫して同じ部材を示す。
【００１９】
【図１】本実用新案の一つの例示的な実施例に基づく偽造防止用接着部材の構造概略図である。
【図２】本実用新案の一つの例示的な実施例に基づく接着部材アセンブリの概略図である。
【図３】本実用新案の一つの例示的な実施例に基づく偽造防止包装装置の概略図である。
【考案を実施するための形態】
【００２０】
以下に、図面と合わせて、実施例により、本実用新案の技術方案についてさらに具体的に説明する。下記で図面を参照して本実用新案の実施形態を説明するのは、本実用新案の全体的な実用新案の構想を説明するためであって、本実用新案に対する限定ではないと理解されるべきである。
【００２１】
図１は本実用新案の一つの例示的な実施例に基づく偽造防止用接着部材の構造概略図である。
【００２２】
図１に示されるように、当該接着部材１００は接着層１０、接着層１０の上側に設けられた第一層２０、接着層１０の底側に設けられた第二層３０を含む。図１に示されるように、当該第一層の外面に宝くじ部２２がさらに設けられる。図示していないが、当業者が理解できるように、例示的に、宝くじ部２２は、宝くじ部のスクラッチエリア、宝くじバーコードエリア、及び換金バーコードエリア等を含むことができる。
【００２３】
なお、本実用新案において、宝くじ部とは確認可能な宝くじであり、例えば当該宝くじは国家関連機関が許可して発行した宝くじであり、消費者は、照会により宝くじの真偽を確認することができる。
【００２４】
本実用新案において、接着部材は接着層を有し、且つ接着層の一側は商品または商品の包装（より具体的には、例えば軟包装）に接着できるため、接着部材は商品またはその包装に設けることができる。このように、消費者は宝くじ部により商品の真偽を確認でき、または、宝くじ部は少なくとも商品の真偽を判断する一つの手段となることができる。
【００２５】
当業者が理解できるように、ここでの第二層３０は接着層１０から剥離でき、第一層２０は接着層１０に固定される（ここでの固定とは、例えば、第一層を破壊することなく第一層を接着層から剥離することができない）。
【００２６】
なお、図１には第二層３０が示されているが、第二層を設けなくてもよい。例えば、二つの接着部材が積層される場合には、上の接着部材の接着層の底側が直接、下の接着部材の第一層の表面に位置する。上の接着部材が直接接着して宝くじ部を被覆してもよく、宝くじ部を被覆しなくてもよい（後述のように、宝くじ部は接着層と接着部材の上面図において異なる位置に配置することができる）。
【００２７】
図１において、宝くじ部２２の位置は上面図において完全に接着層のエリア内に入るが、本実用新案はこれに限られない。例えば、図示していないが、接着部材の上面図において、前記宝くじ部の一部のみが接着層の位置と重なっている。または、接着部材の上面図において、前記宝くじ部は接着層の外にある。これらはいずれも本実用新案の保護範囲内に入る。
【００２８】
接着部材について、帯状とすることができる（例えば上面図において、そのアスペクト比は２より大きい、更には、３より大きい）。帯状の接着部材は、商品包装の開口、例えば商品軟包装の開口を巻き取って塞ぐのに用いることができる。当該帯状接着部材の開口を巻き取って塞ぐ部分に宝くじ部を設けなくてもよい（例示的に、これは、接着部材の上面図において、前記宝くじ部の一部のみが接着層の位置と重なっているのに対応する。または、接着部材の上面図において、前記宝くじ部は接着層の外にある）。
【００２９】
接着部材は他の形状とすることもでき、例えば、ブロック状とすることもできる（例えば上面図において、そのアスペクト比は２より小さい、更には、１．５より小さい）。
【００３０】
前記接着部材の長さは、商品包装の開口を密封しやすいように、１０ｃｍより大きい。前記接着部材はブロック状とすることもでき、その幅は１０ｃｍより大きい。
【００３１】
また、接着部材の寸法は、実際に使用される宝くじの寸法に合わせることができ、具体的な接着部材の寸法は、その上に印刷される宝くじの寸法により変えることができる。
【００３２】
図２は本実用新案の一つの例示的な実施例に基づく接着部材アセンブリ２００の概略図である。
【００３３】
図２の右図に示されるように、接着部材アセンブリは、一つの共通の第二層３０に置かれる複数の接着部材１００であってもよく、隣接する接着部材１００の間は間隔を空けて配置される。
【００３４】
図２の左図に示されるように、隣接する接着部材１００の間も引き裂きやすい引き裂き部２１０により接続されてもよい。当該引き裂き部は弱連結部であってもよく、両者間の連結を弱めて両者を分離しやすくするのに役立つ連結部であれば、引き裂き部であってもよい。
【００３５】
具体的に、図２の左図に示されるように、前記接着部材は帯状であって上記第二層３０を有し、且つ少なくとも二つの接着部材のうちの隣接する接着部材の間は引き裂き可能部により接続される。前記引き裂き部は第二層だけに設けることができ、且つ隣接する二つの接着部材の接着層及び第一層は互いに接続されなく、または、互いに間隔があけられている。引き裂き部は弱連結であり、即ち容易に引き裂くことができる引き裂き可能部、例えば空隙線または減肉線等である。
【００３６】
図示していないが、前述のように、接着部材を２枚以上積層してもよい。ここでの積層は、一層ずつ平積みでも、巻き取り方式の積層でもよく、いずれも本実用新案の保護範囲内に入る。
【００３７】
図３は本実用新案の一つの例示的な実施例に基づく偽造防止包装装置の概略図である。
【００３８】
図３に示されるように、偽造防止包装装置３００は、収容空間を画定する筐体３１０を備え、前記筐体に引き裂き部３２０が設けられ、前記引き裂き部３２０が筐体の一部とされ、引き裂き部と筐体の他の部分との間が引き裂き部により接続され、前記引き裂き部３２０の外面に宝くじ部２２が設けられ、前記宝くじ部２２は前記引き裂き部の外面を直接形成する。
【００３９】
宝くじ部の有効部分は引き裂き部のみに設けても、一部分を引き裂き部に設けて他の部分を筐体の他の表面に設けてもよい。
【００４０】
宝くじ部２２の有効エリアは、宝くじ部のスクラッチエリア、宝くじバーコードエリア、及び換金バーコードエリア等を含むことができ、有効エリアの一部は引き裂き部の外面のみに設けることができる。
【００４１】
理解できるように、引き裂き部と筐体の他の部分との間には弱連結、即ち空隙線または減肉線など、容易に引き裂くことができる引き裂き可能部が採用されている。
【００４２】
図示される実施例において、引き裂き部は引き裂きテープである。この他、引き裂きテープには、ユーザが引っ張るためのティアヘッドが設けられてもよい。本実用新案は、引き裂き部の具体的な形態にはこだわらず、封口開放具として、その外面に宝くじ部が設けられていれば、いずれも本実用新案の保護範囲内に入る。
【００４３】
なお、本実用新案の図面は単に概略的なものに過ぎない。例えば、筐体は、円柱体または他の立体形状であってもよく、略扁平な形状であってもよく、その上の引き裂き部に宝くじ部または宝くじの有効部分の少なくとも一部が設けられていれば、いずれも本実用新案の保護範囲内に入る。また、例えば引き裂き部は図示の引き裂きテープに限らず、押し下げ面または引き裂き面であってもよく、筐体を開けるためのシールとして筐体に設けられ、宝くじ部または宝くじの有効部分の少なくとも一部が設けられていれば、いずれも本実用新案の保護範囲内に入る。
【００４４】
以上のことから、本実用新案は以下の技術方案を提案する。
【００４５】
１．接着層と、
接着層の上側に設けられた第一層と、を含む接着部材であって、
前記第一層が前記接着層に固定され、且つ前記第一層の外面に宝くじ部が設けられ、前記宝くじ部が前記第一層の外面に直接形成される接着部材。
【００４６】
２．前記少なくとも二つの接着部材を備え、前記少なくとも二つの接着部材が並列又は積層して配置される接着部材アセンブリ。
【００４７】
３．収容空間を画定する筐体を備え、前記筐体に引き裂き部が設けられ、前記引き裂き部が筐体の一部とされ、引き裂き部と筐体の他の部分との間が引き裂き可能部により接続される偽造防止包装装置であって、
前記引き裂き部の外面に宝くじ部の有効エリアの少なくとも一部が設けられ、前記宝くじ部の有効エリアの少なくとも一部は前記引き裂き部の外面に直接形成される偽造防止包装装置。
【００４８】
本実用新案の実施例を既に記載したが、当業者であれば、本実用新案の原理及び思想を逸脱しない限り、これらの実施例を変更することができ、本実用新案の範囲は添付の請求項及びその均等物により限定されると理解できる。
【図１】
0003229631.tif 000003
【図２】
0003229631.tif 000004
【図３】
0003229631.tif 000005